(57)【特許請求の範囲】
【請求項１】
土台部分と、複数のフック層と、複数の保持層と複数のスペーサー層とからなるフックファスナー構造であって、夫々のフック層は、フックファスナー構造において概ね縦方向に延びており、複数のフックを含んでおり、夫々のフックは、フック層のベースから延びる軸部と前記軸部の上方から折曲した折曲部を備えており、当該フック層のベースには、谷部が形成されており、
夫々の保持層は、当該フックファスナー構造において概ね縦方向に延びており、複数の指部を含んでおり、夫々の指部は保持層ベースから延びており、複数の保持層は、指部が延びていない複数の保持層ベースを含んでおり、保持層ベースには谷部が形成されており、
夫々のスペーサー層は、複数のスペーサー層ベースを含んでおり、スペーサー層ベースには、谷部が形成されており、夫々のフック層ベース、保持層ベース及びスペーサーベースは、前記土台部分から突出しているとともに、上面を含んでおり、
フック層ベース、保持層ベース及びスペーサー層ベースのうち、フックと指部が形成されている部分以外の上面は、協働して水平な面を形成しており、
当該フック層、保持層及びスペーサー層は、フックファスナー構造を横切る概ね横方向に延びる複数のフック列を提供するように配されており、当該フック列の一部は、指部を含んでおり、
当該指部を含むフック列は、ファスナーに沿って延びる縦方向においてフック列の間に周期的に存在しており、
フック層、保持層、スペーサー層の各ベースは少なくとも上面に沿って同一の縦方向の長さを有し、前記谷部は、フックがループ部材に突入することが出来る深さであり、当該フックファスナー構造の連続して横方向に配された連続層における谷部の底面の高さは、横軸ｙに沿っていずれかの層において異なることを特徴とする前記フックファスナー構造。
【請求項２】
前記フック層における少なくとも一部の谷部は、少なくとも一部の保持層における少なくとも一部の谷部と深さが異なることを特徴とする請求項１に記載されたフックファスナー構造。
【請求項３】
前記フック層における少なくとも一部の谷部は、保持層及びスペーサー層における少なくとも一部の谷部と深さが異なり、保持層とスペーサー層における少なくとも一部の谷部は、他の保持層とスペーサー層における谷部と深さが異なることを特徴とする請求項１に記載されたフックファスナー構造。
【請求項４】
土台部分と、複数のフック層と、複数の保持層とからなり、夫々のフック層は、フックファスナー構造において概ね縦方向に延びており、複数のフックを有しており、夫々のフックは、フック層ベースから延びる軸部と前記軸部の上方から折曲した折曲部を備えており、フック層ベースには、谷部が形成されており、
夫々の保持層は、フックファスナー構造における概ね縦方向に延びており、複数の保持層は、複数の指部を含んでおり、夫々の指部は、保持層ベースから延びており、複数の保持層は指部の延びていない複数の保持層ベースも含んでおり、保持層ベースには、谷部が形成されており、
夫々のフック層ベースと保持層ベースは、前記土台部分から突出しているとともに、上面を含んでおり、フック層ベースと保持層ベースのうち、フックと指部が形成された部分以外の上面は、同一平面を形成するために同一の高さに配されており、フック層と保持層は、フックファスナー構造を横切る概ね横方向に延びる複数のフック列を提供するように配されており、フック列の一部は、フックの間に配された指部を含んでおり、当該フック列の一部は、フックの間に配されている指部を含んでおらず、フック層、保持層の各ベースは、少なくとも上面に沿って同一の縦方向の長さを有し、前記谷部は、フックがループ部材に突入することが出来る深さであり、当該フックファスナー構造の連続して横方向に配された連続層における谷部の底面の高さは、横軸ｙに沿っていずれかの層において異なることを特徴とする前記フックファスナー構造。
【請求項５】
フックファスナー構造は、フックが指部と接触するのを防ぐためフック層と保持層との間に配された複数のスペーサー層を更に含むことを恃徴とする請求項４に記載されたフックファスナー構造。
【請求項６】
前記フックのすくなくとも一部は、指部の少なくとも一部と連結されていることを特徴とする請求項４に記載されたフックファスナー構造。
【請求項７】
これらの層は、互いに一体的に形成されていることを特徴とする請求項１又は４に記載されたフックファスナー構造。
【請求項８】
前記フック層ベースは、水平の上面と側面とを含み、当該上面は、ファスナーにおける縦方向において、側面の高さを越える寸法を有していることを特徴とする請求項１又は４に記載されたフックファスナー構造。
【請求項９】
前記保持層のベースは、当該ベースを分離する谷部の深さを超える縦寸法を有していることを特徴とする請求項１又は４に記載されたフックファスナー構造。
【請求項１０】
フックファスナー構造において概ね縦方向に延びる複数の引張強度部材を更に含むことを特徴とする請求項１又は４に記載されたフックファスナー構造。
【発明の詳細な説明】
【技術分野】
【０００１】  本発明は、ループエレメントのような係合部材と係合するようになっているフックエレメントを備えたファスナー構造に関するものである。
【背景技術】
【０００２】  このような構造からなるファスナーは、色々な用途に使用することができるが、特に、永久的又は半永久的に物品を連結することが必要な用途において役に立つ。フックと係合部材とからなるファスナーは、一般に、ループ部材その他の係合部材と係合するフックエレメントを含んでいる。このようなファスナーのフック構造は、二つの物品を連結するために係合部材と係合する。他方、所望の状態で係合部材から確実に分離することが出来ることも必要なのである。多数のフックファスナー構造は、係合部材を外すためにファスナーを分離する際に伸長することが出来る切断されたモノフィラメントから作られているので、これらのフックファスナー構造は、連結分離のサイクルを繰り返し行なっても優れた伸長性能及び柔軟性を有していなければならない。このようなファスナーは、例えば、衣料品に使用されるが、衣料品においては、連結が確実に行なわれなければならないとともに、連結を外すことが困難なく行なわれなければならず、又、当該衣料品の寿命を通じて連結操作や洗濯が繰り返し行われるのである。モノフィラメントのフックは、繊維織成技術によって高密度で配されることが出来、従って、信頼できる連結力を有するとともに、繰り返しの使用に耐える耐久性をもつ。しかし、これらの細いモノフィラメントフックは、製造費用がかかり、大きな力（即ち、ここで力とは、係合部材からファスナーのフック部材を分離するために必要なファスナーの単位面積あたりの力）が要求されるような用途には、通常適さない。【０００３】  他のタイプのフックファスナー構造も製造されている。例えば、フックファスナーは、連続射出成型法その他の射出成型法を使用して一体成型によって製造されてもよい。これらの成型フック部材は、連結力を増すためにモノフィラメントタイプのフックよりも一般に硬い。しかし、このような硬さは、ファスナーを連結したり外したりを繰り返すと問題が生ずる可能性がある。従って、このタイプのファスナーは、例えば、自動車のシート生地、シートカバーその他の内装用仕上げ材の取り付け、ディスプレーの取り付けなど、連結力は要求されるが、繰り返し外すことが要求されない半永久的又は永久的連結の用途に一般には適している。【０００４】  半永久的な用途のための面ファスナー材料の製造業者が直面した一つの要請は、強固に係合材料と係合することが出来るとともに、係合する際カーブした部分で十分暫定的に曲折することが可能なほど十分柔軟性を持つフックファスナー構造を開発することであった。この要請を達成するための一つのアプローチは、軸部の強度を増すため例えば横方向の厚み又は他の厚みを増やすことによってフック部の軸部の材料を増やすとともに、フック部のカーブした部分が曲折しループ材料と係合するのに十分な弾力性を保持することを可能にすることであった。このようなフックの硬い軸部は、ファスナーに大きな連結力を付与するためカーブした部分に更なる支持力と強度を付与することができた。しかし、このような構造においては、軸部は、フック部との間で適切で半永久的又は永久的な強固な係合を達成すべくカーブした部分をループ材料に十分深く突入させるためには十分長くなければならなかった。【０００５】  従来の構造の一例が米国特許５１３１１１９号に記載されている。この特許は、軸部の一部に延びている補強リブを備えたフックの配列を開示している。当該特許の構造の図面を本願の添付図面の図４として掲載した。もう一つの例は、米国特許５３３９４９９号に開示されている。この特許は、折曲部よりも実質的に横方向の厚みが大きい軸部を備えたフックを記載している。この特許の幾つかの図面も本願の添付図面の図５Ａ、５Ｂおよび５Ｃとして掲載した。これらの図面は肉厚の軸部を示している。米国特許出願番号１１／０４３３３９号は、ＡＫＥＮＯ等の出願人名義で２００５年１月２６日に出願され、２００５年７月２８日に、米国出願公開番号２００５／０１６０５３４号として出願公開された。当該公開公報は、側部補強部を備えたフックを持つ成型フックファスナー構造と当該構造を製造するための連続製造方法を開示している。
【特許文献１】  米国特許５１３１１１９号
【特許文献２】  米国特許５３３９４９９号
【特許文献３】  米国特許出願番号１１／０４３３３９号
【特許文献４】  米国出願公開番号２００５／０１６０５３４号
【発明の開示】
【発明が解決しようとする課題】
【０００６】  しかし、上記従来のフックファスナー構造は、強固に係合材料と係合することが出来なかった。また、係合する際カーブした部分で十分暫定的に曲折することが可能なほど十分な柔軟性を持っていなかった。
そこで、本発明の目的は、自動車シートカバー取付、陳列品の取り付けなどの半永久的又は永久的な用途に使用するためのフックファスナー構造であって、当該フックファスナー構造のフックは、従来のデザインにおけるように、土台部分から直接延びているのではなく、土台部分のようにフックファスナー構造のより下にあるものから突出しているベースから更に突出することによって、より丈夫で強い係合力を有するようなフックファスナー構造を提供することである。【０００７】  本発明の別の目的は、従来のリング成型技術その他の所望の技術を使用して製造のため概念的又は物理的に多数の層から形成することが出来るフックファスナー構造を提供することであり、これによって、特定の用途のための性能を最適化するためフック及びフックの部分並びにフックが突出しているベースの形状及び寸法のような色々な構造的特徴を容易に変えることができるようなフックファスナー構造を提供することである。
【課題を解決しようとする手段】
【０００８】  前記目的を達成するために、本発明は、土台部分と、複数のフック層と、複数の保持層と複数のスペーサー層とからなるフックファスナー構造であって、夫々のフック層は、フックファスナー構造において概ね縦方向に延びており、複数のフックを含んでおり、夫々のフックは、フック層のベースから延びる軸部と前記軸部の上方から折曲した折曲部を備えており、当該フック層のベースには、谷部が形成されており、夫々の保持層は、当該フックファスナー構造において概ね縦方向に延びており、複数の指部を含んでおり、夫々の指部は保持層ベースから延びており、複数の保持層は、指部が延びていない複数の保持層ベースを含んでおり、保持層ベースには谷部が形成されており、
夫々のスペーサー層は、複数のスペーサー層ベースを含んでおり、スペーサー層ベースには、谷部が形成されており、夫々のフック層ベース、保持層ベース及びスペーサーベースは、前記土台部分から突出しているとともに、上面を含んでおり、フック層ベース、保持層ベース及びスペーサー層ベースのうち、フックと指部が形成されている部分以外の上面は、協働して水平な面を形成しており、当該フック層、保持層及びスペーサー層は、フックファスナー構造を横切る概ね横方向に延びる複数のフック列を提供するように配されており、当該フック列の一部は、指部を含んでおり、当該指部を含むフック列は、ファスナーに沿って延びる縦方向においてフック列の間に周期的に存在しており、フック層、保持層、スペーサー層の各ベースは少なくとも上面に沿って同一の縦方向の長さを有し、前記谷部は、フックがループ部材に突入することが出来る深さであり、当該フックファスナー構造の連続して横方向に配された連続層における谷部の底面の高さは、横軸ｙに沿っていずれかの層において異なることを特徴とする。
【００１１】  前記目的を達成するために、前記フック層における少なくとも一部の谷部は、少なくとも一部の保持層における少なくとも一部の谷部と深さが異なることを特徴としている。
【００１２】  前記目的を達成するために、前記フック層における少なくとも一部の谷部は、保持層及びスペーサー層における少なくとも一部の谷部と深さが異なり、保持層とスペーサー層における少なくとも一部の谷部は、他の保持層とスペーサー層における谷部と深さが異なることを特徴としている。
【００１３】  前記目的を達成するために、本発明は、土台部分と、複数のフック層と、複数の保持層とからなり、夫々のフック層は、フックファスナー構造において概ね縦方向に延びており、複数のフックを有しており、夫々のフックは、フック層ベースから延びる軸部と前記軸部の上方から折曲した折曲部を備えており、フック層ベースには、谷部が形成されており、夫々の保持層は、フックファスナー構造における概ね縦方向に延びており、複数の保持層は、複数の指部を含んでおり、夫々の指部は、保持層ベースから延びており、複数の保持層は指部の延びていない複数の保持層ベースも含んでおり、保持層ベースには、谷部が形成されており、夫々のフック層ベースと保持層ベースは、前記土台部分から突出しているとともに、上面を含んでおり、フック層ベースと保持層ベースのうち、フックと指部が形成された部分以外の上面は、同一平面を形成するために同一の高さに配されており、フック層と保持層は、フックファスナー構造を横切る概ね横方向に延びる複数のフック列を提供するように配されており、フック列の一部は、フックの間に配された指部を含んでおり、当該フック列の一部は、フックの間に配されている指部を含んでおらず、フック層、保持層の各ベースは、少なくとも上面に沿って同一の縦方向の長さを有し、前記谷部は、フックがループ部材に突入することが出来る深さであり、当該フックファスナー構造の連続して横方向に配された連続層における谷部の底面の高さは、横軸ｙに沿っていずれかの層において異なることを特徴とする。
【００１４】  前記目的を達成するために、ファスナー構造は、フックが指部と接触するのを防ぐためフック層と保持層との間に配された複数のスペーサー層を更に含むことを特徴としている。
【００１５】  前記目的を達成するために、前記フックのすくなくとも一部は、指部の少なくとも一部と連結されていることを特徴としている。
【００１６】  前記目的を達成するために、これらの層は、互いに一体的に形成されていることを特徴としている。
【００１７】  前記目的を達成するために、前記フック層ベースは、水平の上面と側面とを含み、当該上面は、ファスナーにおける縦方向において、側面の高さを越える寸法を有していることを特徴としている。
【００１８】  前記目的を達成するために、前記保持層のベースは、当該ベースを分離する谷部の深さを超える縦寸法を有していることを特徴としている。
【００１９】  前記目的を達成するために、前記ファスナー構造において概ね縦方向に延びる複数の引張強度部材を更に含むことを特徴としている。
【発明の効果】
【００２７】  この発明は上記した構成からなり、本発明のフックファスナー構造を使用しているファスナーは、僅かな回数しか外す必要は無いが、かなり大きな係合力が必要であるような特に半永久的又は永久的な用途のために係合力その他の性能を最適化するために、保持層及びスペーサー層のいずれかを又はその双方を省略することができる。また、これらの層のいずれかを、高さ、形状、幅、その他の所望の寸法又は態様において調節しても良い。
【００２８】  本発明の実施例は、係合操作はたった一回だけ行なわれるが、係合力は、縫着その他の面ファスナー以外のその他の係合手段によって提供される係合力のレベルを達成するためにかなりかなり大きいことが必要である自動車シートカバー取付用途など半永久的または永久的に有効に機能することになっているフックエレメントを備えたフックファスナー構造を提供することが出来る。（ループエレメントのような）係合エレメントを捕捉し係合する際にさらに有効に折曲部が働くことができるようにフックの軸部を強く丈夫にするため、フックファスナー構造の土台部分から直接突出する代わりに土台部分から突出しているベースから更に突出している。ベースは、谷部によってフックファスナー構造において縦方向に分離されており、谷部は、フックファスナー構造を横切って横方向に延びることができ、フックがより深く突入し強く係合することができるように係合部材の中に更に深く突入することを可能にしている。
【００２９】  本発明の実施例は、従来のリング成型の技術を使用して成型することが出来る。即ち、この技術においては、フック構造の連続して横方向に配された層を製造するために連続したリングが製作される。例えば、本発明による好ましいフックファスナー構造は、（１）谷部によって分離されているベースからフックが延びている多数のフック層と、（２）谷部によって分離されたベースから指部が延びている多数の保持層（当該指部は、好ましくは、全てのフック列ではなくて一部のフック列を横方向に横切ってフック間に配されている。）と、（３）フック層と保持層との間に介在し、ベースから延びるいかなる構造も有しない多数のスペーサー層とを有している。
【発明を実施するための最良の形態】
【００３０】  本発明は、フックアンドループファスニング又はフックと係合部材のファスニングの用途に使用するためのフックファスナー構造１０に関するものである。本発明の実施例による構造は、土台部分から延びているベース１２から延びており、ファスナー構造１０を横切って横方向（ｙ）に延びているフック列１７を含んでいる。ベース１２は、ファスナー構造１０を横切って横方向（ｙ）に延びている谷部３９によって分離されている。尚、ファスナー構造１０の高さは、ファスナー構造１０において横方向に均一であっても、変化していても良い。ベース１２は、永久的又は半永久的なファスニング用途を得るために、フック１６が頑丈で強靭であることを可能にするため適切な強度と支持力を提供しており、他方、ベース１２の間に介在する谷部３９は、フックが効果的なファスニング機能を果たすためフックが係合部材に突入して係合することができるようになっている。また、このようなフックファスナー構造１０は、フック１６及びこれらフック１６の間に横方向（ｙ）に介在する指部３２のような障壁保持部材を支持しており、所望に応じてフック１６と障壁とのスペースを空けるために色々な層１４を物理的に又は概念的に使用する方法によって形成することができる。従って、当該フックファスナー構造１０は、例えば、半永久的又は永久的連結用途において一般的に要求される優秀な連結強度と所望の特性を備えたフックファスナーを提供するため従来のリング成型技術その他の所望の技術を使用して本発明に従って形成することができる。
【実施例】
【００３１】  図１は、本発明によるフックファスナー構造１０の好ましい実施例を示す斜視図である。図１に示されたフックファスナー構造１０は、複数の層から形成されていると考えることができる。これらの層の夫々は、本発明によるフックファスナー構造を形成することができる従来のリング状金型におけるダイに対応している。しかし、本発明によるフックファスナー構造１０は、必ずしも、このようなリング状金型によって形成される必要はない。夫々のダイは、図１に示されている層１４における特殊な形状に対応するような特殊形状に切削して形成され、そして、当該フックファスナー構造が形成されるＮＥＧＡＴＩＶＥ  ＩＭＡＧＥ即ちダイとして金型内に配され使用されることが出来る円筒状ダイ（ＣＹＬＩＮＤＲＩＣＡＬ  ＤＩＥ）を形成するために組み立てられる。このような方法によると、円筒状ダイが回転するつれて、第１位置において適切なプラスチック材料が塗布され、次に、ＳＰＲＥＡＤＥＲを使用して圧延され、金型の成型孔内に圧入されるのである。ダイが回転を続けるにつれて、プラスチック材料は冷却され、次に、フックファスナー構造の長さを増大するために更なる材料を受けるべくダイが引き続き回転するにつれて、連続工程の第２位置において、プラスチック材料は引き離される。フックファスナー構造１０は、ポリアミド、ポリウレタン及びポリエステルを含む当該技術分野における当業者に周知であるエンジニアリングプラスチックのいずれを使用して成型してもよい。好ましくは、米国、ミシガン州、トロイ市のＴＯＲＡＹ  ＲＥＳＩＮ  ＣＯＭＰＡＮＹによって供給されているポリブチレンテレフタレート（ＰＢＴ）によって成型されることが好ましい。【００３２】  図１の垂直軸（ｚ）は、フックファスナー構造１０の該当する部分の互いに対して相対的に及び絶対的に見た高さに対応している。他方、フックファスナー構造１０の縦方向（ｘ）は、層１４が延びる方向と概ね対応するフックファスナー構造の長さに沿って図１のページを横切って斜めに延びている。横方向（ｙ）は、高さ方向及び縦方向の双方に対して直交（直角）しており、図１が掲載されているページに対して斜め上方に延びている。そして、高さ軸（ｚ）、縦軸（ｘ）及び横軸（ｙ）という協調軸が、図１の中に示されている。【００３３】  図１示されたフックファスナー構造１０は、大まかに言うと、３つの種類の層を有している。即ち、フック層１５、保持層３０及びスペーサー層４０である。しかし、層の種類をもっと多くしたり少なくしたりすることも可能である。成型方法に関連して上に開示されたこれらの層は、例えば、従来のリング成型方法その他の所望の製造技術によって、互いに一体的に形成することも出来るし、例えば、別個に成型しておいてそれらを接着するというように、これらの層を非一体的に形成することも可能である。【００３４】  フック層１５は、複数のフック１６から形成されており、前記各々のフックはベース１２の上面から突出するように延びている軸部１８と、軸部１８の上方から折曲する折曲部２０とを有する。フック１６は、やしの木状であっても、アルファベットのＪ状であっても、その他の所望の形状であっても良い。【００３５】  フック層１５の夫々のベース１２は、特定のフック１６の軸部１８の近傍に配されたフック層ベース上面２４を含むことが好ましい。当該フック層ベース上面２４は、図１に示されているように、実質的に高さ方向（ｚ）に延びるように形成されたフック層ベース側面２６と連続して形成されている。フック層ベース上面２４は、ベース側面２６が高さ方向に延びるよりも大きな距離だけフック１６がベース１２と交差している夫々の側部で縦方向に延びていることが好ましいが、必ずしもそうである必要はない。連続するベース１２のフック層ベース側面２６は、ベース１２の間に谷部３９を形成している。連続層における全ての谷部３９の底面の高さは、同一の高さであっても異なった高さであってもよいし、また、谷部３９は、その深さにおいて隣り合う種類の層ごとに異なっていても良く、連続層の夫々の谷部はフック１６が突出しているベース上面２４よりも低く形成されていることが好ましい。【００３６】  図１に示されている実施例において、ベース１２の間の谷部３９は、いくつかの層の谷部よりも深さが浅く、他のいくつかの層の谷部よりも深さが深い。しかしこれは必ずしもこうである必要はない。更に、図１及び図２に示す実施例においては、後述するいくつかの保持層３０の谷部３９は、他の保持層３０の谷部３９と深さにおいて異なる。また、以下に説明するスペーサー層４０の谷部３９は、他のスペーサー層４０の谷部と深さにおいて異なる。しかし、必ずしもこうである必要はなく同じ高さであっても良い。【００３７】  フック層１５のベース１２は、フックファスナー構造１０を横方向（ｙ）に延びているフック１６の列１７を支持するため図１に示すようにフックファスナー構造１０を横方向に横切って延びているので、他の層のベース１２を補完することになる。従って、色々な層１４のベース１２は、少なくとも上面に沿って同一の縦方向の長さ５２を有することが好ましい。しかし、色々な層１４におけるベース１２のこのような上面の長さは、所望であれば異なっていてもよい。図１に示されたフックファスナー構造においては、ベース１２の上面からなる平坦形状の配列を提供するために、色々な層１４におけるベース１２のこのような上面の長さは同一である。ベース１２の少なくとも一部は、水平（高さ方向に直行する方向）に延び、平面状であって、フック１６とベース１２が交差する点から縦方向に延びていることが好ましいが、必ずしもそうである必要はない。【００３８】  このような構造は、強固で安定したベース１２を提供し、このベース１２からフック１６の軸部１８が延びることができ、折曲部２０を支持する頑丈な構造を提供するのである。更に、谷部３９が存在することによって、ベース１２は、ループ部材その他の係合部材の内部まで延び、折曲部２０が係合部材と係合して連結をすることができるのである。軸部１８と所望であれば折曲部２０も丈夫であることと相俟ってベース部１２によって強度及び安定性が付与されているので、ディスプレー備品の取り付け、自動車シートカバーの取り付けなどの用途のために永久的又は半永久的な連結が可能なのである。【００３９】  自動車シートカバーの取り付けその他の用途においては、フォーム状材料が流入���て凝固する前に、フックファスナー構造１０の側部の回りを囲む可能性のあるプラスチックフォーム状材料の中にフックファスナー構造１０を配置し又は成型する慣行となっている。従って、フックファスナー構造１０は、当該構造１０の長さに沿って縦方向に延びているその側部に沿って好ましくはフック１６と同一の高さを有する壁（図示せず）を備えている。このような壁は、他の層１４と同様に、従来のリング成型方法における層を使用して形成することが出来る。また、フックファスナー構造１０を横切って横方向（ｙ）に延びるフック層１５及びその他の層の数は、いくつでもよい。これらの層は、最終的には、その両側で、壁によって境界がきめられる。しかし、フック構造１０の側部に沿った壁は、一つの列１７におけるフック１６の間のフックファスナー構造１０の端部において流入する又は侵入する可能性のあるフォーム材料を対処するものではない。【００４０】  従って、フックファスナー構造１０は、ベース１２のいくつかの列２９において指部３２が突出するベース１２がフック１６の間に配されている保持層３０を含むことが好ましい。指部３２は、フック１６の高さと等しい高さで延びており、フック１６間に延び、そして、フォーム材料その他の材料がフック間に流入するのを防止する障壁を形成するために、フック１６と概ね横方向に同一線上に配されていることが好ましい。また、以下に説明するように、フック１６と指部３２とはそれぞれ独立して形成させるため、指部３２とフック部１６との間には、スペーサー層４０によってギャップが形成されることが好ましい。【００４１】  しかし、指部３２がフック部１６と連結するフックファスナー構造１０においては、指部３２は、フック部１６に対して横方向の安定性と強度を提供することができる。特に、スペーサー層４０が使用されていない構造においては、層１４の横方向の幅は異なっていても良く、これによって、例えば、保持層３０は、フック層１５よりも、図１に示されている横方向において、より大きな幅を有していても良い。【００４２】  また、保持層３０における全てのベース１２が支持指部３２を必要とするわけではない。例えば、図２に見られるように、６列ごとのフック列１７に対して指部３２を有しており、これによって、６列ごとのフック１６の列が指部３２によって障壁を形成しているのである。所望であれば、６列以外の他の周期が選択されても良いし、又、保持層３０のベース１２における指部３２の配置は、周期的である必要も無い。また、指部３２は図１に見られるように、フック層１６同士の間に形成された保持層のように省略されても良い。これによって、保持層３０は、フック列１７におけるフック１６間にギャップを配するため以下に説明するスペーサー層４０と類似し、又はスペーサー層４０を構成するのである。色々な長さのフックファスナー構造１０が使用され、従って、モールドイン成型方法の際にフックファスナー構造１０の大部分にフォーム状材料が流入するのを制限するためにどの位置でフックファスナー構造１０が切断される必要があるのか予測することが出来ないような場合には、６列ごとに指部３２の障壁を備えたフック１６が適している。【００４３】  フッ��層１５のベース１２と同様、保持層３０も保持層ベース上面３６を備えたベース１２を有し、当該保持層ベース上面３６は、保持層ベース側面３８に移行し、これによって、谷部３９を形成しても好ましい。図１に示された実施例において、いくつかの保持層３０は、深い谷３９を有し、他のいくつかの保持層３０は、浅い保持層３９を有している。谷部３９の深さは、特定の取り付け用途のために特定の構造強度、硬さ及び連結強度などに適するように調節することが出来、最適にすることが出来る。縦方向における谷部３９の幅は、類似又は異なる目的のためそして特定の用途のために所望に合わせて調節することが出来る。【００４４】  図１に示されたフックファスナー構造１０のような本発明のいくつかの実施例は、フック１６間のスペースの調節することによってフック１６と指部３２との間のギャップを提供することができるようにするため、及び、フックファスナー構造１０の幅を所望に合わせて調節することが出来るようにするため、また、その他の所望の目的のため、主にフック層１５と保持層３０との間に介在されるようになっているスペーサー層４０を有している。保持層３０が必要であり又は使用されていると考えられる構造においては、スペーサー層４０は、指部３２を備えない保持層３０であって、列１７の内部で横方向（ｙ）に所望の距離だけフック１６を離して配するために所望の幅を有する保持層３０を構成していると概念上及び実際上考えることが出来る。従って、スペーサー層４０は、フック１６の無いフック層又は指部３２の無い保持層３０と類似していると概念上考えることが出来る。従って、フックファスナー構造１０は、例えば、いくつがのディスプレー用途におけるように、障壁又は指部３２が必要でない用途のために、フック層１５が保持層３０無しにスペーサー層４０によって分離されている本発明の実施例に従っても形成することも出来る。【００４５】  図１に示された実施例においては、第１スペーサー層４０Ａは、フックファスナー構造１０を横切って横方向（ｙ）に延びている谷部３９の列の内部において谷部がリブとより類似し、かつ第１スペーサー層４０Ａとはフック層１５を隔てて形成されている第２スペーサー層４０Ｂよりも深い谷３９を有している。両方の場合において、スペーサー層４０は、上面を有し、側面も有することが好ましい。スペーサー層４０Ａは、谷部スペーサー層ベース上面４２を有し、当該谷部スペーサー層ベース上面４２は、谷部スペーサー層ベース側面４４に移行し、これによって、より深い谷部３９を形成する。一方、スペーサー層４０Ｂは、リブスペーサー層ベース上面４６を有し、当該リブスペーサー層ベース上面４６は、リブスペーサー層側面４８に移行し、これによって、より浅い谷部即ちリブ３９を形成するのである。【００４６】  図１に示された特定のフックファスナー構造１０は、少なくとも一つの好ましくは多数の縦部材５６を有しており、当該縦部材は、所望によって、強度そして／又は磁性をもたせてもよいのである。このような縦部材５６は、前述の米国出願公開番号２００５／０１６０５３４号に開示されている。このような縦部材５６は、ナイロンと鉄で形成されていることが好ましく、日本国��東京のＣ．Ｉ．ＫＡＳＥＩ  ＣＯＭＰＡＮＹ  ＬＴＤ．によって供給されている鉄モノフィラメントとして知られている製品からなっていることが最も好ましい。このような縦部材５６は、成型工程において、フックファスナー構造１０内に成型してもよいのである。【００４７】  図１は、縦方向におけるベース１２の幅５２（縦方向における当該層のベース１２の上面の長さまたは寸法）よりも小さい高さ５０（谷部の床部５４から層４０Ａの上面４２までの長さまたは寸法）を有している特定の実施例のスペーサー層４０Ａのベース１２を示している。しかし、この具体的な寸法限定は必要ではない。【００４８】  図２は、図１のフックファスナー構造１０を構成する層の側面図であるが、フック層１５に囲まれた保持層３０に指部３２が形成されている点で異なる。また、縦部材５６についても省略してある。図２における（Ａ）〜（Ｅ）は、ファスナー構造１０における横方向（ｙ）に、（Ｄ）→（Ｃ）→（Ｂ）→（Ａ）→（Ｅ）→（Ａ）→（Ｂ）→（Ｃ）→（Ｄ）の順に形成されており、縦方向（ｘ）におけるベース１２の間隔、言い換えれば縦方向（ｘ）における谷部３９の間隔は各層同一であって、各層のベース１２、各層の谷部３９は横方向（ｙ）に亘ってそれぞれが連続して形成されている。具体的には、谷部の深さ５０が約１．１ｍｍであり、ベース１２の上面の幅が約１．３ｍｍであり、ベースの上にあるフック１６の高さが約０．８ｍｍである連続した層を示している。図１に示された実施例において、夫々のフック列１７は、横切る方向に１０個のフックを有しており、縦方向におけるフック１６の中心線の間の距離は、約３．５ｍｍであり、他方、横方向におけるフック１６の中心線の間の距離は、約０．７ｍｍである。他の寸法及び形状を採用し、使用しても良い。【００４９】  図１に示された実施例の側面２６、３８、４４及び４８は、高さ方向に対して約８度だけ傾斜している。同様に、縦方向に向いている当該実施例のフック軸部１８の側部は、約２０度だけ傾斜している。その代わりに、これらの側部は、高さ方向に（即ち、垂直方向に）延びても良いし、又は、約２０度よりも大きな角度で若しくは小さい角度で傾斜しても良い。横方向に向いている軸部１８、フック部１６、折曲部２０及び指部３２の側部は、所望によって高さ方向に対して傾斜しても傾斜しなくても良い。そして、デザイン選択上の問題として適切なカーブをつけてもカーブをつけなくても良いのである。【００５０】図３は、特定のフックファスナー構造１０の各層を組合わせたときの断面図である。尚、図１及び図２とは縦部材５６及びフック層１５を囲む位置に形成されていた保持層３０を有していない点で異なる。前項でも述べたが、谷部の形状及び寸法、ベース部の形状及び寸法、各層の組合せ、配列については本件発明内容を逸脱しない範囲で変更することが可能である。図３においては一対のフック層１５の間にスペーサー層を介して保持層３０が設けられており、更にそれらを挟むようにスペーサー層が両端に形成されている。またフック層のベース上面２４、保持層のベース上面３６、リブスペーサー層のベース上面は同一高さであって平坦面を形成する。一方谷部３９については各層のベース���面よりも低く形成されており、各層によって谷部３９の底辺の高さは異なる。【００５１】  図２は、従前の面ファスナーと異なり、本発明によるフックファスナー構造１０は、フック１６の軸部１８が土台部分２８から突出している従前の構造と比較して、土台部分２８の上にある高さで突出するベース１２から延びているフック１６を持っていると考えることが出来るということを強調している。繰り返すが、このようなベース１２は、永久的又は半永久的な連結のために折曲部２０がループ部材又は他の係合部材と有効に係合することを可能にするため、フックファスナー構造１０全体としてばかりでなく、フック１６に対しても強度及び他の所望の特性を増大させるのである。なお、本実施例については土台部分２８はベース１２と同一素材で一体的に成形されているが、必ずしも限定されない。【００５２】  図６は、本発明の一実施例により形成されたフックファスナー構造１０の長さを斜視図的に撮影した顕微鏡写真である。図６から明らかなように、本発明は、図１乃至図３に見られるような組合せのフックファスナー構造１０が横方向（ｙ）に複数配列された状態で連結されている。更に縦部材５６はフック層１５、スペーサー層４０、保持層３０の中に埋没して固定されている。縦部材５６については、図１のように全て各層の中に埋没された状態で成型されてもよいが、図６のように、少なくとも、ベース部分によって一部乃至全部埋没された状態で成型されてもよいし、縦部材５６を固定できる状態であれば何でもよい。図６では、磁性を帯びた縦部材５６の一部分が露出した状態でフックファスナー構造１０に固定されているので、金型に強固にセットすることが出来る。【００５３】  本発明によるフックファスナー構造は、織成ループ部材又は編成ループ部材を含む色々なタイプのループ部材又は係合部材と係合するように製造しそして／又は修正することが出来る。例えば、特定の自動車シートカバーの用途においては、ＴＩＧＥＲ  ＴＨＲＥＡＤとして知られているＧＥＮＥＲＡＬ  ＭＯＴＯＲによってフックファスナー部材とともに使用される製品が使用されてもよい。【００５４】  本発明の一実施例によれば、一列毎に１０個のフックを備えたフック列１７と６列ごとに配された保持列とを有し、上に記載された寸法を持つ図１に示された一単位長のフックファスナー構造が前述の米国出願公開番号２００５／０１６０５３４号の開示内容と一致する従来の連続成型方法を使用して形成されている。上に特定されたブチレンテレフタレート製品が、２５０ｍｍの外径を有するダイホィールであって、毎分５サイクルの速度で回転するタイホィールの周囲面に摂氏３００度の温度で連続して射出成型される。次に上に特定された製品からなる３単位長の材料５６がポリブチレンテレフタレート製品の射出位置に対してダイホィールの回転位置においてダイホィールの上流側からダイホィール上の溝に対応する成型位置に導入される。当該フックファスナー構造１０がダイホィールから引き抜かれる直線排出速度は、毎分４メートルの速度である。このように形成されたフックファスナー構造１０は、２００１年３月８日の著作権日を付された１９９７年１２月付の“再閉鎖可能ファスナー”とい���標題のＧＥＮＥＲＡＬ  ＭＯＴＯＲＳ技術規格番号ＧＭ２７４６Ｍに合致したのである。【００５５】  上記の明細書は、色々の具体的な実施例を含んでいるが、これらの実施例は、本発明の権利範囲を限定するものと解釈してはならず、むしろ、発明の実施例の一例を示すものと解釈すべきである。即ち、他の色々な変形例が可能なのである。例えば、永久的又は半永久的ファスナー構造を形成するためにループエレメントその他の係合部材と係合するためのフックファスナーとして有効である本発明によるフックファスナー構造を提供するという目的を達成するために、図１乃至３に示された特定の実施例の他にも、例えば、色々な層１４を追加したり削除したりすること及びこれらの層の色々な部分の寸法を変更する等、実施例として開示された以外の寸法、構造及び配列を使用することも可能なのである。【００５６】  従って、本発明の権利範囲は、ここに示されている実施例によって判断すべきではなく、添付の請求項及びその法的均等物によって判断すべきである。
【図面の簡単な説明】
【００５７】
【図１】本発明の一実施例によるフックファスナー構造の一部を示す斜視図である。
【図２−１】図１のフックファスナー構造を構成する層の一部を示す側面図である。
【図２−２】図のフックファスナー構造を構成する残りの層を示す側面図である。
【図３】互いに位置的に一致する軸部と指部を設けた部分を横切って切った図１のフックファスナー構造の一部分の断面図である。尚、図１及び図２とは縦部材５６及びフック層１５を囲む位置に形成されていた保持層３０を有していない点で異なる。
【図４】先行技術であるフックエレメントの一例を示している。
【図５】先行技術であるフックエレメントの別の例を示している。
【図６】本発明によって形成されたフックファスナー構造の一部を示す斜視図的顕微鏡写真である。
【符号の説明】
【００５８】１０        フックファスナー構造
１２        連続ベース
１４        層
１５        フック層
１６        フック
１７        （フックの）列
１８        軸部
２０        折曲部
２４        フック層ベース上面
２６        フック層ベース側面
２８        土台部分
２９        （ベースの）列
３０        保持層
３２        指部
３８        側面
３９        谷部
４０        スペーサー層
４０Ｂ      第２スペーサー層
４２        谷部スペーサー層ベース上面
４４        谷部スペーサー層ベース側面
４６        リブスペーサー層ベース上面
４８        側面
５０        高さ
５２        縦方向の長さ
５６        縦部材
（ｘ）      縦方向
（ｙ）      横方向
（ｚ）      高さ方向
【図１】
0005601555.tif 000002
【図２−１】
0005601555.tif 000003
【図２−２】
0005601555.tif 000004
【図３】
0005601555.tif 000005
【図４】
0005601555.tif 000006
【図５】
0005601555.tif 000007
【図６】
0005601555.tif 000008